(57)【特許請求の範囲】
【請求項１】
物体側より像側へ順に、正の屈折力の第１レンズ群、負の屈折力の第２レンズ群、光路折り曲げ用の光学素子、２つ以上のレンズ群を含む後続レンズ群を有し、ズーミングに際し、前記光学素子は不動であり、ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．２１≦βＲｔ／βＲｗ＜３．０
なる条件式を満足することを特徴とするズームレンズ。
【請求項２】
物体側より像側へ順に、正の屈折力の第１レンズ群、負の屈折力の第２レンズ群、光路折り曲げ用の光学素子、２つ以上のレンズ群を含む後続レンズ群を有し、ズーミングに際し、前記光学素子は不動であり、ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔ、広角端から望遠端へのズーミングにおける前記後続レンズ群の中で最も変倍分担の大きいレンズ群の像面に対する相対移動量をｍＲ、前記後続レンズ群の中で最も変倍分担の大きいレンズ群の焦点距離をｆＲとするとき、
４．３＜β２ｔ／β２ｗ＜１２．０
２．１＜βＲｔ／βＲｗ＜３．０
０．８５＜｜ｍＲ／ｆＲ｜＜１．５０
なる条件式を満足することを特徴とするズームレンズ。
【請求項３】
前記後続レンズ群は、物体側より像側へ順に、正の屈折力の第３レンズ群、正の屈折力の第４レンズ群より構成され、ズーミングに際して前記第３レンズ群と前記第４レンズ群が移動することを特徴とする請求項１または２に記載のズームレンズ。
【請求項４】
前記後続レンズ群は、物体側より像側へ順に、正の屈折力の第３レンズ群、負の屈折力の第４レンズ群、正の屈折力の第５レンズ群より構成され、ズーミングに際して前記第４レンズ群は不動であり、ズーミングに際して前記第３レンズ群と前記第５レンズ群は移動することを特徴とする請求項１または２に記載のズームレンズ。
【請求項５】
前記後続レンズ群は、物体側より像側へ順に、負の屈折力の第３レンズ群、正の屈折力の第４レンズ群、負の屈折力の第５レンズ群、正の屈折力の第６レンズ群より構成され、ズーミングに際して前記第３レンズ群は不動であり、ズーミングに際して前記第４レンズ群と前記第５レンズ群と前記第６レンズ群は移動することを特徴とする請求項１または２に記載のズームレンズ。
【請求項６】
物体側より像側へ順に、正の屈折力の第１レンズ群、負の屈折力の第２レンズ群、光路折り曲げ用の光学素子、後続レンズ群より構成され、該後続レンズ群は、物体側より像側へ順に、負の屈折力の第３レンズ群、正の屈折力の第４レンズ群、負の屈折力の第５レンズ群、正の屈折力の第６レンズ群から成り、ズーミングに際して、前記第３レンズ群と前記第５レンズ群と前記光学素子は不動であり、ズーミングに際して隣り合うレンズ群の間隔が変化するように、前記第１レンズ群、前記第２レンズ群、前記第４レンズ群、前記第６レンズ群が移動するズームレンズであって、
広角端と望遠端における前記第２レンズ群の横倍率を各々β２ｗ、β２ｔ、前記第３レンズ群から前記第６レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴とするズームレンズ。
【請求項７】
物体側より像側へ順に、正の屈折力の第１レンズ群、負の屈折力の第２レンズ群、負の屈折力の第３レンズ群、光路折り曲げ用の光学素子、２つ以上のレンズ群を含む後続レンズ群を有し、ズーミングに際し、前記光学素子は不動であり、ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴とするズームレンズ。
【請求項８】
広角端から望遠端へのズーミングにおける前記後続レンズ群の中で最も変倍分担の大きいレンズ群の像面に対する相対移動量をｍＲ、前記後続レンズ群の中で最も変倍分担の大きいレンズ群の焦点距離をｆＲとするとき、
０．８５＜｜ｍＲ／ｆＲ｜＜１．５０
なる条件式を満足することを特徴とする請求項７に記載のズームレンズ。
【請求項９】
前記後続レンズ群は、物体側より像側へ順に、正の屈折力の第４レンズ群、負の屈折力の第５レンズ群、正の屈折力の第６レンズ群より構成され、ズーミングに際して前記第３レンズ群と前記第５レンズ群は不動であり、ズーミングに際して前記第４レンズ群と前記第６レンズ群が移動することを特徴とする請求項７または８に記載のズームレンズ。
【請求項１０】
広角端から望遠端へのズーミングにおける前記第１レンズ群の像面に対する相対移動量をｍ１、広角端から望遠端へのズーミングにおける前記第２レンズ群の像面に対する相対移動量をｍ２、広角端から望遠端へのズーミングにおける前記後続レンズ群の中で最も変倍分担の大きいレンズ群の像面に対する相対移動量をｍＲ、広角端と望遠端における全系の焦点距離を各々ｆｗ、ｆｔとするとき、
０．１５＜｜ｍ１−ｍ２｜／ｆｔ＜０．３５
２．７＜｜ｍＲ｜／ｆｗ＜４．５
なる条件式を満足することを特徴とする請求項１乃至９のいずれか１項に記載のズームレンズ。
【請求項１１】
前記第２レンズ群の焦点距離をｆ２、望遠端における全系の焦点距離をｆｔとするとき、０．０６０＜｜ｆ２｜／ｆｔ＜０．１３０
なる条件式を満足することを特徴とする請求項１乃至１０のいずれか１項に記載のズームレンズ。
【請求項１２】
前記後続レンズ群の中で最も変倍分担の大きいレンズ群の焦点距離をｆＲ、望遠端における全系の焦点距離をｆｔとするとき、
０．１５＜｜ｆＲ｜／ｆｔ＜０．３０
なる条件式を満足することを特徴とする請求項１乃至１１のいずれか１項に記載のズームレンズ。
【請求項１３】
固体撮像素子に像を形成することを特徴とする請求項１乃至１２のいずれか１項に記載のズームレンズ。
【請求項１４】
請求項１乃至１３のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、デジタルスチルカメラ、監視用カメラ、銀塩写真用のカメラ、放送用カメラ等に好適なものである。
【背景技術】
【０００２】
近年、固体撮像素子を用いたビデオカメラ、デジタルスチルカメラ、そして銀塩フィルムを用いたフィルムカメラ等の撮像装置は高機能化され、また装置全体が小型化されている。そしてそれに伴い、これらの撮像装置に用いられる撮影光学系には、高ズーム比で全体が小型であり、カメラの厚み（前後方向の厚み）を薄くできるズームレンズであることが求められている。
【０００３】
カメラの小型化とズームレンズの高ズーム比化を図るため、非撮影時に各レンズ群の間隔を撮影状態と異なる間隔まで縮小してカメラ筐体内に収納する所謂沈胴式のズームレンズが知られている。またカメラの厚みを薄くするために、撮影光学系の光軸（光路）を９０°折り曲げる反射部材、例えば内面反射を利用したプリズム部材を光路中に配置した所謂屈曲式のズームレンズが知られている（特許文献１、２）。
【０００４】
特許文献１では物体側より像側へ順に、正、負、正、正の屈折力の第１乃至第４レンズ群を有する４群ズームレンズにおいて、第２レンズ群と第３レンズ群の間に光路折り曲げ用の反射部材を配置したズームレンズを開示している。
【０００５】
特許文献２では、物体側から順に、正、負、負、正、正又は正、負、負、正、負の屈折力の第１乃至第５レンズ群を有する５群ズームレンズにおいて、第２レンズ群と第３レンズ群の間に光路折り曲げ用の反射部材を配置したズームレンズを開示している。
【先行技術文献】
【特許文献】
【０００６】
【特許文献１】特開２０１０−４８８５５号公報
【特許文献２】特開２０１０−１５２３１８号公報
【発明の概要】
【発明が解決しようとする課題】
【０００７】
一般にズームレンズを小型化するためには、ズームレンズを構成する各レンズ群の屈折力（光学的パワー＝焦点距離の逆数）を強めつつ、レンズ枚数を削減すれば良い。しかしながら、このようにしたズームレンズは、各レンズ面の屈折力の増加に伴いコバ厚を確保するためにレンズ肉厚が増してしまい、特に前玉有効径（第１レンズ群の有効径）が増大し、レンズ全長の短縮化が困難になる。
【０００８】
また、同時に望遠端において色収差などの諸収差の発生が多くなり、これらの補正が困難になってくる。そこで、ズームレンズにおいて、高ズーム比化を図りつつ、全系の小型化を図るには各レンズ群の屈折力や結像倍率等を適切に設定することが重要になってくる。また、レンズ群の間に光路折り曲げ用の反射部材を有するズームレンズでは、カメラの厚み方向と、それに直交する方向にレンズ群を配置することでカメラの薄型化を達成することが容易となる。
【０００９】
しかしながら、これらの効果を得るためにはズームレンズのレンズ構成を適切に設定することが重要になってくる。例えば、反射部材の光路中の配置位置、そしてズーミングの際の各レンズ群の移動量等を適切に設定することが重要になってくる。特に各レンズ群の屈折力やズーミング時の変倍用のレンズ群の移動量等が適切でないと、ズーミングに際して諸収差の変動が多くなり、またレンズ系全体の小型化及び高ズーム比化が困難になる。
【００１０】
本発明は、高ズーム比で良好なる画像を容易に得ることができ、しかもカメラに適用したときカメラ等の厚みを薄くすることができるズームレンズ及びそれを用いた撮像装置の提供を目的とする。
【課題を解決するための手段】
【００１１】
本発明のズームレンズは、物体側より像側へ順に、正の屈折力の第１レンズ群、負の屈折力の第２レンズ群、光路折り曲げ用の光学素子、２つ以上のレンズ群を含む後続レンズ群を有し、ズーミングに際し、前記光学素子は不動であり、ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．２１≦βＲｔ／βＲｗ＜３．０
なる条件式を満足することを特徴としている。
この他本発明のズームレンズは、物体側より像側へ順に、正の屈折力の第１レンズ群、負の屈折力の第２レンズ群、光路折り曲げ用の光学素子、２つ以上のレンズ群を含む後続レンズ群を有し、ズーミングに際し、前記光学素子は不動であり、ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔ、広角端から望遠端へのズーミングにおける前記後続レンズ群の中で最も変倍分担の大きいレンズ群の像面に対する相対移動量をｍＲ、前記後続レンズ群の中で最も変倍分担の大きいレンズ群の焦点距離をｆＲとするとき、
４．３＜β２ｔ／β２ｗ＜１２．０
２．１＜βＲｔ／βＲｗ＜３．０
０．８５＜｜ｍＲ／ｆＲ｜＜１．５０
なる条件式を満足することを特徴としている。
この他本発明のズームレンズは、物体側より像側へ順に、正の屈折力の第１レンズ群、負の屈折力の第２レンズ群、光路折り曲げ用の光学素子、後続レンズ群より構成され、該後続レンズ群は、物体側より像側へ順に、負の屈折力の第３レンズ群、正の屈折力の第４レンズ群、負の屈折力の第５レンズ群、正の屈折力の第６レンズ群から成り、ズーミングに際して、前記第３レンズ群と前記第５レンズ群と前記光学素子は不動であり、ズーミングに際して隣り合うレンズ群の間隔が変化するように、前記第１レンズ群、前記第２レンズ群、前記第４レンズ群、前記第６レンズ群が移動するズームレンズであって、
広角端と望遠端における前記第２レンズ群の横倍率を各々β２ｗ、β２ｔ、前記第３レンズ群から前記第６レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴としている。
この他本発明のズームレンズは、物体側より像側へ順に、正の屈折力の第１レンズ群、負の屈折力の第２レンズ群、負の屈折力の第３レンズ群、光路折り曲げ用の光学素子、２つ以上のレンズ群を含む後続レンズ群を有し、ズーミングに際し、前記光学素子は不動であり、ズーミングに際して隣り合うレンズ群の間隔が変化するように、前記第１レンズ群、前記第２レンズ群、及び前記後続レンズ群に含まれる２つ以上のレンズ群が移動するズームレンズであって、
広角端と望遠端における前記第２レンズ群の横倍率を各々β２ｗ、β２ｔ、前記後続レンズ群の中で最も変倍分担の大きいレンズ群の広角端と望遠端における横倍率を各々βＲｗ、βＲｔとするとき、
４．３＜β２ｔ／β２ｗ＜１２．０
２．１＜βＲｔ／βＲｗ＜３．０
なる条件式を満足することを特徴としている。
【発明の効果】
【００１２】
本発明によれば、高ズーム比で良好なる画像を容易に得ることができ、しかもカメラに適用したときカメラ等の厚みを薄くすることができるズームレンズが得られる。
【図面の簡単な説明】
【００１３】
【図１】本発明の実施例１の広角端におけるレンズ断面図
【図２】（Ａ）、（Ｂ）、（Ｃ）  本発明の実施例１に対応する数値実施例１の広角端、中間のズーム位置、望遠端における収差図
【図３】本発明の実施例２の広角端におけるレンズ断面図
【図４】（Ａ）、（Ｂ）、（Ｃ）  本発明の実施例２に対応する数値実施例１の広角端、中間のズーム位置、望遠端における収差図
【図５】本発明の実施例３の広角端におけるレンズ断面図
【図６】（Ａ）、（Ｂ）、（Ｃ）  本発明の実施例３に対応する数値実施例１の広角端、中間のズーム位置、望遠端における収差図
【図７】本発明の実施例４の広角端におけるレンズ断面図
【図８】（Ａ）、（Ｂ）、（Ｃ）  本発明の実施例４に対応する数値実施例１の広角端、中間のズーム位置、望遠端における収差図
【図９】本発明の実施例５の広角端におけるレンズ断面図
【図１０】（Ａ）、（Ｂ）、（Ｃ）  本発明の実施例５に対応する数値実施例１の広角端、中間のズーム位置、望遠端における収差図
【図１１】本発明の実施例５の広角端におけるレンズ断面図
【図１２】（Ａ）、（Ｂ）、（Ｃ）  本発明の実施例５に対応する数値実施例１の広角端、中間のズーム位置、望遠端における収差図
【図１３】本発明の撮像装置の要部概略図
【図１４】本発明の実施例１のズームレンズのレンズ断面図
【発明を実施するための形態】
【００１４】
以下、本発明のズームレンズ及びそれを有する撮像装置について説明する。本発明のズームレンズは、物体側より像側へ順に、正の屈折力の第１レンズ群、負の屈折力の第２レンズ群、光路折り曲げ用の光学素子、２つ以上のレンズ群を含む後続レンズ群を有する。そしてズーミングに際し、光学素子は不動であり、ズーミングに際して隣り合うレンズ群の間隔が変化するように第１レンズ群と第２レンズ群、及び後続レンズ群に含まれる２つ以上のレンズ群が移動する。
【００１５】
若しくは物体側より像側へ順に、正の屈折力の第１レンズ群、負の屈折力の第２レンズ群、負の屈折力の第３レンズ群、光路折り曲げ用の光学素子、２つ以上のレンズ群を含む後続レンズ群を有する。そしてズーミングに際し、光学素子は不動であり、ズーミングに際して隣り合うレンズ群の間隔が変化するように第１レンズ群と第２レンズ群、及び後続レンズ群に含まれる２つ以上のレンズ群が移動する。ここで光路折り曲げ用の光学素子（反射手段）は、反射ミラー又は内面反射面を有するプリズム等である。
【００１６】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。
【００１７】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００１８】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。図１１は本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。
【００１９】
各実施例のレンズ断面図ではプリズムに設けた内面反射面で光路を折り曲げているが各レンズ断面図では便宜上光路を展開した状態で示している。
【００２０】
図１３は本発明のズームレンズを備えるカメラ（撮像装置）の要部概略図である。図１４は本発明の実施例１において反射手段（プリズム）内に設けた内面反射面で光路を折り曲げたときのレンズ断面図である。
【００２１】
各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
【００２２】
ＬＲは複数のレンズ群を含む後続レンズ群である。ＳＰはＦナンバー光束を制限する開口絞り、ＦＲは不要光をカットするフレアー絞りである。ＰＲは光路折り曲げ用の光学素子であり、本実施例では内面反射面を有し、光路上の光路を９０度又は９０度前後折り曲げるプリズムよりなっている。Ｇは光学フィルター、フェースプレート、水晶ローパスフィルター、赤外カットフィルター等に相当する光学ブロックである。
【００２３】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。収差図のうち、球面収差図において、実線のｄ、２点鎖線のｇは各々ｄ線及びｇ線である。非点収差図において点線のΔＭと実線のΔＳは各々メリディオナル像面、サジタル像面である。倍率色収差はｇ線によって表している。ωは半画角（撮影画角の半分の値）（度）、ＦｎｏはＦナンバーである。
【００２４】
尚、以下の各実施例において広角端と望遠端は変倍用レンズ群が機構上光軸上を移動可能な範囲の両端に位置したときのズーム位置をいう。
【００２５】
各実施例のズームレンズは、物体側より像側へ順に、正の屈折力を有する第１レンズ群Ｌ１、負の屈折力を有する第２レンズ群Ｌ２を有する。広角端から望遠端への変倍に際し、広角端よりも望遠端で第１レンズ群Ｌ１が撮像面に対して物体側、第２レンズ群Ｌ２が像側へ相対的に移動してズーミングを行っている。
【００２６】
各実施例では、ズーミングに際し、広角端に比べて望遠端において第１レンズ群Ｌ１が物体側に位置する様に、また第２レンズ群が像側に位置するように移動させている。これにより広角端におけるレンズ全長を短くし、前玉有効径の小型化を図りつつ、高いズーム比を得ている。特に、各実施例では、正の屈折力の第１レンズ群Ｌ１を物体側へ移動することで第２レンズ群Ｌ２に大きな変倍効果を持たせて第１レンズ群Ｌ１、第２レンズ群Ｌ２の屈折力をあまり大きくすることなく１０〜２０倍程度の高ズーム比を得ている。
【００２７】
第１レンズ群Ｌ１の有効レンズ径を小型にするためには、第１レンズ群Ｌ１を構成するレンズの数が少ない方が好ましい。各実施例では第１レンズ群Ｌ１を物体側から像側へ順に、負、正、正レンズの３枚のレンズを含むようにしている。
【００２８】
具体的に各実施例においては、正レンズと負レンズの各１枚を接合した接合レンズと、正レンズより第１レンズ群Ｌ１を構成している。これにより高ズーム比を図る際に発生する球面収差と色収差を良好に補正している。
【００２９】
各実施例において第２レンズ群Ｌ２は負レンズ、負レンズ、正レンズよりなり、かつ１以上の非球面を有している。
【００３０】
具体的には各実施例において第２レンズ群Ｌ２の最も物体側のレンズＧ４の片側または両側の面を非球面形状としている。これにより、主に広角端において倍率色収差、ズーム全域において像面湾曲を良好に補正している。
【００３１】
各実施例のズームレンズは光路折り曲げ素子（プリズム）を有するため、カメラの厚み方向と直行する方向にレンズ群を配置することでカメラの厚みを薄くしている。その結果、ズーミングに際して第１レンズ群Ｌ１および第２レンズ群Ｌ２の移動量が大きくなると、ズームレンズ鏡筒の段付き構造が複雑になり、これらのレンズ群の保持精度が難しくなる。保持精度の悪化が低下するとレンズ群が偏芯し、光学性能が低下してくる。そのため、各実施例のズームレンズは、光路折り曲げ素子よりも物体側の前群の変倍と像側の後群の変倍の分担を最適に設定している。具体的には次のとおりである。
【００３２】
広角端と望遠端における第２レンズ群Ｌ２の横倍率を各々β２ｗ、β２ｔとする。後続レンズ群ＬＲの中で最も変倍分担の大きいレンズ群の広角端と望遠端における横倍率を各々βＲｗ、βＲｔとする。このとき、
４．３＜β２ｔ／β２ｗ＜１２．０      ・・・（１）
２．１＜βＲｔ／βＲｗ＜３．０        ・・・（２）
なる条件式を満足している。
【００３３】
各実施例において後続レンズ群ＬＲの中で最も変倍分担の大きいレンズ群は次のとおりである。実施例１は第４レンズ群である。実施例２は第４レンズ群である。実施例３は第４レンズ群である。実施例４は第３レンズ群である。実施例５は第３レンズ群である。実施例６は第４レンズ群である。
【００３４】
条件式（１）は第２レンズ群Ｌ２の変倍作用を定めたものである。条件式（２）は光路折り曲げ用の光学素子ＰＲよりも像側の後続レンズ群ＬＲのうち、最も変倍分担の大きいレンズ群の変倍作用を適切に定めたものである。
【００３５】
条件式（１）の下限を超えて第２レンズ群Ｌ２の変倍作用が小さくなると、ズームレンズが所望するズーム比（１２〜２０倍）を得るのが難しくなる。あるいは光路折り曲げ用の光学素子ＰＲよりも像側の後続レンズ群ＬＲの変倍分担が大きくなるため、カメラの横方向の光路長が長くなりカメラが大型化してくる。または、後続レンズ群ＬＲの屈折力が大きくなるため、ズーム全域にわたるコマ収差の補正が困難になる。また、後続レンズ群ＬＲで防振を行う場合には防振時のコマ収差の補正が困難になる。
【００３６】
条件式（１）の上限を超えて第２レンズ群Ｌ２の変倍作用が大きくなると、第２レンズ群Ｌ２のズーミングに際しての移動量ｍ２が大きくなり、ズームレンズ鏡筒の構造が複雑化する。この結果前述のように光学性能が悪化してくる。
【００３７】
また、第２レンズ群Ｌ２の焦点距離ｆ２が小さくなると主に広角端において像面湾曲、倍率色収差の補正が困難になる。また、ズーム全域において画面周辺像面の変動抑制が困難になる。また、主に変倍に寄与する第２レンズ群Ｌ２の屈折力が強くなるために各レンズ群の傾き・平行偏芯敏感度が高くなり、カメラを組み立てる際および通常使用時に、メカ部品のガタなどによる偏芯で良好な光学性能を得るのが難しくなる。
【００３８】
条件式（２）の下限を超えて光路折り曲げ用の光学素子よりも像側の後続レンズ群ＬＲのうち、最も変倍分担の大きいレンズ群の変倍作用が小さくなると、所望のズーム比（１２〜２０倍）を得るのが難しくなり、第２レンズ群Ｌ２の変倍作用が大きくなる。この結果、第２レンズ群Ｌ２の移動量ｍ２が大きくなるか、焦点距離ｆ２が小さくなるので、前述のような光学性能が低下してくる。
【００３９】
条件式（２）の上限を超えて光路折り曲げ用の光学素子よりも像側の後続レンズ群ＬＲのうち、最も変倍分担の大きいレンズ群の変倍作用が大きくなると、カメラの横方向の光路長が長くなりカメラが大型化してくる。または後続レンズ群ＬＲの屈折力が大きくなるため、ズーム全域にわたりコマ収差の補正や防振時のコマ収差の補正が困難になる。
【００４０】
以上のように、各実施例では条件式（１）、（２）を満足するように広角端と、望遠端における第２レンズ群Ｌ２、後続レンズ群ＬＲのうち最も変倍分担の大きいレンズ群の変倍分担を適切に設定している。これにより、全系の小型・薄型を図りつつ、高ズーム比でしかも全ズーム範囲にわたり高い光学性能を得ている。
【００４１】
尚、更に好ましくは条件式（１）、（２）の数値範囲を次の如く設定するのが良い。
４．５＜β２ｔ／β２ｗ＜８．０      ・・・（１ａ）
２．１５＜βＲｔ／βＲｔ＜２．８０  ・・・（２ａ）
以上の如く構成することにより、広画角かつ高ズーム比でズーム全域にわたり高い光学性能を有した小型のズームレンズを得ることができる。各実施例において、更に好ましくは次の諸条件のうち１以上を満足するのが良い。この他、条件式（２）の数値範囲を次の如く設定するのが良い。
２．２１≦βＲｔ／βＲｗ＜３．０    ・・・（２ｂ）
【００４２】
各実施例において広角端から望遠端へのズーミングにおける第１レンズ群Ｌ１の像面に対する相対移動量をｍ１とする。広角端から望遠端へのズーミングにおける第２レンズ群Ｌ２の像面に対する相対移動量をｍ２とする。広角端から望遠端へのズーミングにおける後続レンズ群ＬＲの中で最も変倍分担の大きいレンズ群の像面に対する相対移動量をｍＲとする。広角端と望遠端における全系の焦点距離を各々ｆｗ、ｆｔとする。
【００４３】
第２レンズ群Ｌ２の焦点距離をｆ２とする。後続レンズ群ＬＲの中で最も変倍分担の大きいレンズ群の焦点距離をｆＲとする。このとき以下の条件式のうち１以上を満足するのが良い。
【００４４】
０．１５＜｜ｍ１−ｍ２｜／ｆｔ＜０．３５          ・・・（３）
２．７＜｜ｍＲ｜／ｆｗ＜４．５                    ・・・（４）
０．０６０＜｜ｆ２｜／ｆｔ＜０．１３０            ・・・（５）
０．１５＜｜ｆＲ｜／ｆｔ＜０．３０                ・・・（６）
０．８５＜｜ｍＲ／ｆＲ｜＜１．５０                ・・・（７）
条件式（３）は全系を小型にしつつ高ズーム比化するために、ズーミングに際しての第１レンズ群Ｌ１と第２レンズ群Ｌ２の移動量ｍ１、ｍ２と望遠端における全系の焦点距離ｆｔとの関係を適切に定めたものである。
【００４５】
条件式（３）の下限を超えて第１レンズ群Ｌ１と第２レンズ群Ｌ２の移動量ｍ１、ｍ２の差が全系の焦点距離ｆｔに比べて小さくなると、第１レンズ群Ｌ１、第２レンズ群Ｌ２の焦点距離が小さくなる。この結果、広角端において像面湾曲、倍率色収差の補正が困難になる。更にズーム全域における画面周辺の像面湾曲の変動を抑制するのが困難になる。また、望遠端において球面収差、軸上色収差の補正が困難になる。
【００４６】
条件式（３）の上限を超えて第１レンズ群Ｌ１と第２レンズ群Ｌ２の移動量ｍ１、ｍ２の差が全系の焦点距離ｆｔに比べて大きくなると、ズームレンズ鏡筒の段付き構造が複雑になる。この結果、レンズ群の保持精度が悪くなることに起因して光学性能が低下してくる。または、カメラの厚みが大きくなり、カメラが大型化してくる。
【００４７】
条件式（４）は全系を小型にしつつ高ズーム比化するためのものである。条件式（４）は光路折り曲げ用の光学素子ＰＲよりも像側の後続レンズ群ＬＲのうち、最も変倍分担の大きいレンズ群のズーミングに伴う移動量ｍＲと広角端における全系の焦点距離ｆｗとの比を適切に定めたものである。
【００４８】
条件式（４）の下限を超えて後続レンズ群ＬＲのうち、最も変倍分担の大きいレンズ群の移動量ｍＲが、広角端における全系の焦点距離ｆｗに比べて小さくなると、後続レンズ群ＬＲの変倍分担が小さくなる。その結果、第１レンズ群Ｌ１と第２レンズ群Ｌ２の変倍分担が大きくなるため、光学性能が低下し、またカメラが大型化してくる。
【００４９】
条件式（４）の上限を超えて後続レンズ群ＬＲのうち、最も変倍分担の大きいレンズ群の移動量ｍＲが、広角端における全系の焦点距離ｆｗに比べて大きくなると、カメラの横方向が大きくなり、カメラが大型化してくる。また、広角端から望遠端にかけてのＦナンバーＦｎｏの変動が大きくなるので良くない。
【００５０】
条件式（５）は全系を小型にしつつ高ズーム比化するために、第２レンズ群Ｌ２の焦点距離ｆ２と望遠端における全系の焦点距離ｆｔとの比を適切に定めたものである。
【００５１】
条件式（５）の下限を超えて第２レンズ群Ｌ２の焦点距離ｆ２が全系の焦点距離ｆｔに比べて小さくなると主に広角端において像面湾曲、倍率色収差の補正が困難になり、またズーム全域において画面周辺の像面湾曲の変動を抑制するのが困難になる。また、主に変倍に寄与する第２レンズ群Ｌ２の屈折力が強くなるために各レンズ群の傾き・平行偏芯敏感度が高くなる。この結果、カメラを組み立てる際および通常使用時に、メカ部品のガタなどによる偏芯で良好な光学性能を得るのが困難になる。
【００５２】
条件式（５）の上限を超えて第２レンズ群Ｌ２の焦点距離ｆ２が全系の焦点距離ｆｔに比べて大きくなると高ズーム比化するためにズーミングに際して第２レンズ群Ｌ２の移動量を増やさなければならない。このため、光学性能が悪化し、またカメラが大型化してくる。また、第１、２レンズ群の有効径が増大してくる。
【００５３】
条件式（６）は全系を小型にしつつ高ズーム比化するために、光路折り曲げ用の光学素子ＰＲよりも像側の後続レンズ群ＬＲのうち、最も変倍分担の大きいレンズ群の焦点距離ｆＲと望遠端における全系の焦点距離ｆｔとの比を適切に定めたものである。
【００５４】
条件式（６）の下限を超えて後続レンズ群ＬＲのうち、最も変倍分担の大きいレンズ群の焦点距離ｆＲが、望遠端における全系の焦点距離ｆｔに比べて小さくなると、ズーム全域にわたるコマ収差の補正が困難になる。また、上記の焦点距離ｆＲを有するレンズ群で防振を行う場合には防振時のコマ収差の補正が困難になる。
【００５５】
条件式（６）の上限を超えて後続レンズ群ＬＲのうち、最も変倍分担の大きいレンズ群の焦点距離ｆＲが、望遠端における全系の焦点距離ｆｔに比べて大きくなると、所望のズーム比を得るためには、焦点距離ｆＲ群の移動量が大きくなる。このため、カメラが大型化してくる。あるいは、第１レンズ群Ｌ１と第２レンズ群の変倍分担が大きくなるため、光学性能が悪化してくる。
【００５６】
条件式（７）は後続レンズ群ＬＲのうち、最も変倍分担の大きいレンズ群の移動量ｍＲと焦点距離ｆＲとの比を適切に定めたものである。条件式（７）の下限を超えて後続レンズ群のうち、最も変倍分担の大きいレンズ群の移動量ｍＲが小さくなるか、焦点距離ｆＲが大きくなると、このレンズ群の変倍分担量が小さくなる。その結果第１レンズ群Ｌ１と第２レンズ群Ｌ２の変倍分担が大きくなるため、光学性能が悪化してくる。
【００５７】
条件式（７）の上限を超えて光路折り曲げ用の光学素子よりも後続レンズ群のうち、最も変倍分担の大きいレンズ群の移動量ｍＲが大きくなると、カメラの横方向が大きくなりカメラが大型化してくる。あるいは焦点距離ｆＲが小さくなると、ズーム全域にわたるコマ収差の補正が困難になり光学性能が悪化してくる。
【００５８】
各実施例において、更に収差補正及びズーミングの際の収差変動を小さくしつつ、レンズ系全体を小型にし、ズーム比を大きくするためには、条件式（３）乃至（７）の数値範囲を次の如く設定するのが好ましい。
０．１８＜｜ｍ１−ｍ２｜／ｆｔ＜０．３１        ・・・（３ａ）
２．７２＜｜ｍＲ｜／ｆｗ＜３．７０              ・・・（４ａ）
０．０７０＜｜ｆ２｜／ｆｔ＜０．１２５          ・・・（５ａ）
０．１８＜｜ｆＲ｜／ｆｔ＜０．２８              ・・・（６ａ）
０．９０＜｜ｍＲ｜／ｆＲ＜１．２０              ・・・（７ａ）
以上のように各実施例によれば、光学系全体が小型・薄型でかつ１２〜２０倍程度の高ズーム比で、しかも全ズーム範囲にわたり高い光学性能が得られるズームレンズが得られる。
【００５９】
次に各実施例のズームレンズのレンズ構成について説明する。実施例１、２のレンズ断面図において、Ｌ１は正の屈折力の第１レンズ群、Ｌ２は負の屈折力の第２レンズ群、Ｌ３は負の屈折力の第３レンズ群、Ｌ４は正の屈折力の第４レンズ群、Ｌ５は負の屈折力の第５レンズ群、Ｌ６は正の屈折力の第６レンズ群である。実施例１、２は６群ズームレンズである。
【００６０】
光路折り曲げ用の光学素子（プリズム）は第２レンズ群Ｌ２と第３レンズ群Ｌ３との間に配置されている。開口絞りＳＰは第４レンズ群Ｌ４の内部に配置されている。フレアーカット絞りＦＰは第４レンズ群Ｌ４の像側に配置されている。
【００６１】
実施例１、２では、広角端から望遠端へのズーミングに際して矢印のように第１、第２、第４、第６レンズ群Ｌ１、Ｌ２、Ｌ４、Ｌ６を移動させている。具体的には、広角端から望遠端へのズーミングに際して矢印のように像面に対して相対的に、第１レンズ群Ｌ１を物体側へ、第２レンズ群Ｌ２を像側へ、第４レンズ群Ｌ４を物体側へ移動させている。第６レンズ群Ｌ６は像側へ移動してから物体側へ移動し、さらに像側へ移動するといった変曲点を２回持つ軌跡で移動させている。
【００６２】
開口絞りＳＰとフレアーカット絞りＦＰはズーミングに際して第４レンズ群Ｌ４と一体的に移動している。プリズムＰＲ、第３レンズ群Ｌ３、第５レンズ群Ｌ５は不動である。尚、第３、５レンズ群Ｌ３，Ｌ５を必要に応じて他のレンズ群と独立に移動させても良い。また、実施例１、２においては第６レンズ群Ｌ６を光軸上移動させてフォーカシングを行うリヤーフォーカス式を採用している。
【００６３】
望遠端において無限遠物体から近距離物体へフォーカスを矢印６ｃに示すように第６レンズ群Ｌ６を前方に繰り出すことによって行っている。第６レンズ群Ｌ６に関する実線の曲線６ａと点線の曲線６ｂは各々無限遠物体と近距離物体にフォーカスしているときの広角端から望遠端へのズーミングに伴う際の像面変動を補正するための移動軌跡を示している。
【００６４】
また、負の屈折力の第５レンズ群Ｌ５でフォーカシングを行っても良く、この場合には第５レンズ群Ｌ５を後方に繰り込むことによって行う。正の屈折力の第４レンズ群Ｌ４の一部または全体を、光軸に対し垂直方向の成分を持つように移動させて、光軸に対し垂直方向に像を変移させている。これにより光学系（ズームレンズ）全体が振動（傾動）したときの撮影画像のぶれを補正している。すなわち防振を行っている。また、撮影画像のぶれ補正のために負の屈折力の第５レンズ群Ｌ５を、光軸に対して垂直方向の成分を持つように動かしても良い。
【００６５】
実施例１、２では可変頂角プリズム等の光学部材や防振のためのレンズ群を新たに付加することなく防振を行うようにし、これによって光学系全体が大型化するのを防止している。
【００６６】
尚、各実施例ではレンズ群の全体または一部を光軸と垂直方向に移動させて防振を行っているが、移動方式はレンズ群の全体または一部を光軸に対して垂直方向の成分を持つように移動させれば、画像のぶれを補正することが可能である。例えば鏡筒構造の複雑化を許容すれば、光軸上に回転中心を持つようにレンズ群の全体または一部を回動させて防振を行っても良い。
【００６７】
第４レンズ群Ｌ４を正レンズ、負レンズ、正レンズと負レンズの接合レンズより構成して防振時の偏心収差を軽減している。第４レンズ群Ｌ４に非球面を用いている。これによってズーミングに伴う球面収差の変動を良好に補正している。第３、第５、第６レンズ群Ｌ３、Ｌ５、Ｌ６を１つのレンズより構成して各レンズ群の小型・軽量化を図っている。
【００６８】
実施例３は実施例１、２と同様の屈折力配置の６群ズームレンズである。実施例３は実施例１、２に比べて光路折り曲げ用の光学素子（プリズム）が第３レンズ群Ｌ３と第４レンズ群Ｌ４との間に配置されていること、開口絞りＳＰが第４レンズ群Ｌ４の物体側にあることが異なっている。この他の構成は実施例１、２と略同じである。
【００６９】
実施例４のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群である。実施例４は４群ズームレンズである。光路折り曲げ用の光学素子（プリズム）は第２レンズ群Ｌ２と第３レンズ群Ｌ３との間に配置されている。開口絞りＳＰは第３レンズ群Ｌ３の内部に配置されている。フレアーカット絞りＦＰは第３レンズ群Ｌ３の像側に配置されている。
【００７０】
実施例４では、広角端から望遠端へのズーミングに際して矢印のように第１、第２、第３、第４レンズ群Ｌ１、Ｌ２、Ｌ３、Ｌ４を移動させている。
【００７１】
具体的には、広角端から望遠端へのズーミングに際して矢印のように像面に対して相対的に、第１レンズ群Ｌ１を物体側へ、第２レンズ群Ｌ２を像側へ、第３レンズ群Ｌ３を物体側へ移動させている。第４レンズ群Ｌ４は物体側へ凸状の軌跡を描いて移動させている。開口絞りＳＰとフレアーカット絞りＦＰはズーミングに際して第４レンズ群Ｌ４と一体的に移動している。プリズムＰＲは不動である。また、実施例４においては第４レンズ群Ｌ４を光軸上移動させてフォーカシングを行うリヤーフォーカス式を採用している。
【００７２】
望遠端において無限遠物体から近距離物体へフォーカスを矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。
【００７３】
正の屈折力の第３レンズ群Ｌ３の一部または全体を、光軸に対し垂直方向の成分を持つように移動させて、光軸に対し垂直方向に像を変移させている。これにより光学系（ズームレンズ）全体が振動（傾動）したときの撮影画像のぶれを補正している。すなわち防振を行っている。
【００７４】
実施例４では、可変頂角プリズム等の光学部材や防振のためのレンズ群を新たに付加することなく防振を行うようにし、これによって光学系全体が大型化するのを防止している。尚、実施例４ではレンズ群の全体または一部を光軸と垂直方向に移動させて防振を行っているが、移動方式はレンズ群の全体または一部を光軸に対して垂直方向の成分を持つように移動させれば、画像のぶれを補正することが可能である。例えば鏡筒構造の複雑化を許容すれば、光軸上に回転中心を持つようにレンズ群の全体または一部を回動させて防振を行っても良い。
【００７５】
第３レンズ群Ｌ３に非球面を用いている。これによってズーミングに伴う球面収差の変動を良好に補正している。第３レンズ群Ｌ３を正レンズ、負レンズ、正レンズと負レンズとを接合した接合レンズより構成している。これにより防振時の偏心収差の発生を軽減している。
【００７６】
実施例５のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。実施例５は５群ズームレンズである。光路折り曲げ用の光学素子（プリズム）は第２レンズ群Ｌ２と第３レンズ群Ｌ３との間に配置されている。開口絞りＳＰは第３レンズ群Ｌ３の物体側に配置されている。フレアーカット絞りＦＰは第３レンズ群Ｌ３の像側に配置されている。
【００７７】
実施例５では、広角端から望遠端へのズーミングに際して矢印のように第１、第２、第３、第５レンズ群Ｌ１、Ｌ２、Ｌ３、Ｌ５を移動させている。具体的には、広角端から望遠端へのズーミングに際して矢印のように像面に対して相対的に、第１レンズ群Ｌ１を物体側へ、第２レンズ群Ｌ２を像側へ、第３レンズ群Ｌ３を物体側へ移動させている。第５レンズ群Ｌ５は像側へ移動してから物体側へ移動し、さらに像側へ移動するといった変曲点を２回持つ軌跡で移動させている。
【００７８】
開口絞りＳＰとフレアーカット絞りＦＰはズーミングに際して第３レンズ群Ｌ３と一体的に移動している。プリズムＰＲ、第４レンズ群Ｌ４は不動である。尚、第４レンズ群Ｌ４を必要に応じて他のレンズ群と独立に移動させても良い。また、実施例５においては第５レンズ群Ｌ５を光軸上移動させてフォーカシングを行うリヤーフォーカス式を採用している。
【００７９】
望遠端において無限遠物体から近距離物体へフォーカスを矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。また、負の屈折力の第４レンズ群Ｌ４でフォーカシングを行っても良く、この場合には第４レンズ群Ｌ４を後方に繰り込むことによって行う。
【００８０】
正の屈折力の第３レンズ群Ｌ３の一部または全体を、光軸に対し垂直方向の成分を持つように移動させて、光軸に対し垂直方向に像を変移させている。これにより光学系（ズームレンズ）全体が振動（傾動）したときの撮影画像のぶれを補正している。すなわち防振を行っている。また、撮影画像のぶれ補正のために負の屈折力の第４レンズ群Ｌ４を、光軸に対して垂直方向の成分を持つように動かしても良い。
【００８１】
実施例５では、可変頂角プリズム等の光学部材や防振のためのレンズ群を新たに付加することなく防振を行うようにし、これによって光学系全体が大型化するのを防止している。実施例５ではレンズ群の全体または一部を光軸と垂直方向に移動させて防振を行っているが、移動方式はレンズ群の全体または一部を光軸に対して垂直方向の成分を持つように移動させれば、画像のぶれを補正することが可能である。
【００８２】
例えば鏡筒構造の複雑化を許容すれば、光軸上に回転中心を持つようにレンズの全体または一部を回動させて防振を行っても良い。
【００８３】
第３レンズ群Ｌ３に非球面を用いている。これによって、ズーミングに伴う球面収差の変動を良好に補正している。第３レンズ群Ｌ３を正レンズ、負レンズ、正レンズと負レンズとを接合した接合レンズより構成している。これにより防振時の偏心収差の発生を軽減している。第４、第５レンズ群Ｌ４、Ｌ５を１つのレンズより構成して各レンズ群の小型・軽量化を図っている。
【００８４】
実施例６は実施例１、２と同様の屈折力配置の６群ズームレンズである。実施例６は実施例１に比べて広角端から望遠端へのズーミングに際して第５レンズ群Ｌ５を物体側へ移動している点が異なっている。この他の構成は実施例１、２と略同じである。
【００８５】
図１４は実施例１において第２レンズ群Ｌ２と第３レンズ群Ｌ３との間に物体側からの光を折り曲げる光学素子ＰＲを含むことで、カメラの厚み方向を薄くした状態を示している。これは他の実施例においても同様である。
【００８６】
図１４において各部材に付した符番は図１に示した符番と同じである。次に各実施例に示したようなズームレンズを撮影光学系として用いたデジタルスチルカメラの実施形態を図１３を用いて説明する。図１３において、２０はカメラ本体、２１は実施例１〜６で説明したいずれかのズームレンズによって構成された撮影光学系である。
【００８７】
ＰＲは光路折り曲げ用の光学素子としてのプリズムである。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
【００８８】
次に、本発明の実施例１乃至６に各々対応する数値実施例１乃至６を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００８９】
また、ｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。
【００９０】
但しＲは近軸曲率半径である。また、例えば「Ｅ−Ｚ」の表示は「１０−Ｚ」を意味する。数値実施例において最後の４つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側のレンズ面から最終レンズ面までの距離に空気換算長のバックフォーカスを加えたものである。また、各数値実施例における上述した各条件式との対応を表１に示す。
【００９１】
(数値実施例１)
面データ
面番号       r        d      nd         νd       有効径
1         45.734    0.88   1.84666    23.9       23.70
2         20.149    4.38   1.48749    70.2       21.20
3        615.302    0.06                         19.71
4         22.979    2.63   1.83481    42.7       17.30
5        165.210  (可変)                         16.82
6        212.868    0.81   1.85135    40.1       12.80
7*         6.632    3.50                          9.46
8        -11.068    0.50   1.88300    40.8        9.10
9         48.546    0.19                          9.29
10         23.302    1.88   1.95906    17.5        9.47
11        -29.843  (可変)                          9.46
12          ∞       8.50   1.83400    37.2        7.49
13          ∞       1.25                          6.72
14        -12.149    0.50   1.48749    70.2        7.38
15        -18.702  (可変)                          7.38
16*         9.558    2.13   1.55332    71.7        7.75
17*       -32.929    1.00                          7.75
18          ∞       1.25                          7.27(絞り) 
19         10.259    0.63   1.90366    31.3        7.75
20          7.347    1.75                          7.75
21*        69.223    3.25   1.58313    59.4        7.75
22         -6.684    0.50   1.83400    37.2        7.75
23        -14.284    0.75                          7.75
24          ∞     (可変)                          6.23（フレアーカット絞り）
25        -71.936    0.50   1.88300    40.8        7.18
26         37.386  (可変)                          7.25
27         14.862    2.63   1.48749    70.2        9.97
28        -31.560  (可変)                          9.92
29          ∞       0.38   1.51633    64.1       12.50
30          ∞       1.63                         12.50
31          ∞       0.63   1.51633    64.1       12.50
32          ∞       1.5                          12.50
像面        ∞   
【００９２】
非球面データ
第7面
K = 3.56807e-001  A 4=-1.97016e-004  A 6=-6.08143e-006  A 8= 2.52505e-007  A10=-1.37257e-008  
第16面
K = 1.44106e-001  A 4=-2.02062e-004  A 6= 3.63056e-006  A 8=-4.20493e-007  A10= 1.46253e-008  
第17面
K = 0.00000e+000  A 4= 5.42362e-006  A 6= 5.43526e-006  A 8=-5.03430e-007  A10= 1.81855e-008  
第21面
K =-1.54545e+001  A 4= 5.50390e-005  A 6= 3.40440e-006  A 8=-1.89333e-007  A10= 1.09743e-008  
各種データ
ズーム比     13.18 
広角     中間     望遠
焦点距離       5.16    19.89    68.01  
Fナンバー      3.33     4.95     5.77  
半画角（度）   33.16    11.03     3.26  
像高           3.37     3.88     3.88  
レンズ全長    73.13    77.36    86.99 
BF             7.48     9.57     6.52 
d 5            0.54     9.02    18.14  
d11            5.44     3.28     0.74  
d15           16.71     3.15     0.43  
d24            3.13    16.70    19.42  
d26            7.86     5.77     8.82  
d28            4.70     6.79     3.74  
【００９３】
(数値実施例２)
面データ
面番号       r        d      nd         νd       有効径
1         55.250    0.88   2.00069    25.5       23.28
2         19.865    4.75   1.48749    70.2       20.85
3       -114.524    0.06                         19.69
4         20.305    2.63   1.88300    40.8       17.15
5        154.202  (可変)                         16.51
6        376.132    0.81   1.85135    40.1       12.63
7*         6.336    3.50                          9.29
8        -11.800    0.50   1.88300    40.8        8.98
9         66.529    0.19                          9.17
10         21.573    1.88   1.95906    17.5        9.37
11        -39.247  (可変)                          9.33
12          ∞       8.38   1.83400    37.2        7.26
13          ∞       1.25                          7.14
14        -23.619    0.50   1.48749    70.2        7.34
15        -70.831  (可変)                          7.51
16*        10.724    2.63   1.55332    71.7        8.13
17*       -37.728    1.00                          8.13
18          ∞       1.25                          7.53(絞り)
19          9.025    0.63   1.90366    31.3        8.13
20          7.221    2.25                          8.13
21*       112.601    4.00   1.58313    59.4        8.13
22         -5.531    0.50   1.83481    42.7        8.13
23        -14.093    0.75                          8.13
24          ∞     (可変)                          6.41（フレアーカット絞り）
25        -77.506    0.50   1.80518    25.4        7.39
26         45.811  (可変)                          7.48
27         17.841    2.63   1.60311    60.6       10.44
28        -43.264  (可変)                         10.32
29          ∞       0.38   1.51633    64.1       12.50
30          ∞       1.63                         12.50
31          ∞       0.63   1.51633    64.1       12.50
32          ∞       0.5                          12.50
像面        ∞   
【００９４】
非球面データ
第7面
K = 1.37037e-001  A 4=-1.21694e-004  A 6=-2.46723e-007  A 8=-2.29008e-008  A10=-4.82840e-010  
第16面
K = 3.53907e-001  A 4=-1.71593e-004  A 6= 4.83183e-006  A 8=-2.00888e-007  A10=-6.58057e-010  
第17面
K = 0.00000e+000  A 4=-3.96853e-006  A 6= 6.51084e-006  A 8=-2.69720e-007  
第21面
K = 0.00000e+000  A 4= 1.75475e-004  A 6= 4.87085e-006  A 8= 1.42820e-008  A10= 1.03278e-009  
各種データ
ズーム比     16.98 
広角     中間     望遠
焦点距離       5.22    15.21    88.67  
Fナンバー      3.46     4.29     6.08  
半画角（度）   32.84    14.29     2.50  
像高           3.37     3.88     3.88  
レンズ全長    80.16    77.56    92.51 
BF             7.89    11.89     6.44 
d 5            0.55     7.56    17.07  
d11            6.36     0.75     0.74  
d15           18.27     8.37     0.42  
d24            3.13    13.03    20.98  
d26           10.41     6.41    11.87  
d28            5.11     9.11     3.65  
【００９５】
(数値実施例３)
面データ
面番号       r        d      nd         νd       有効径
1         38.333    0.88   1.84666    23.9       23.83
2         20.393    4.38   1.48749    70.2       21.53
3        270.389    0.06                         19.91
4         22.406    2.63   1.77250    49.6       17.77
5        121.516  (可変)                         17.25
6         81.750    0.88   1.85135    40.1       13.04
7*         5.630    3.50                          9.12
8        -14.052    0.50   1.88300    40.8        8.94
9         62.414    0.19                          9.07
10         15.831    1.88   1.95906    17.5        9.30
11        -85.235  (可変)                          9.14
12       -119.710    0.50   1.48749    70.2        6.96
13         52.711    0.63                          6.80
14          ∞       7.75   1.83400    37.2        6.65
15          ∞     (可変)                          6.31
16          ∞       0.13                          6.81(絞り)
17*         8.125    2.38   1.76802    49.2        7.38
18*      -339.468    0.19                          7.38
19         10.870    0.63   1.90366    31.3        7.38
20          6.175    1.75                          7.38
21*       603.604    3.25   1.58313    59.4        7.38
22         -4.803    0.50   1.83400    37.2        7.38
23        -11.166    0.75                          7.38
24          ∞     (可変)                          5.99（フレアーカット絞り）
25        -29.905    0.50   1.88300    40.8        7.41
26       -226.086  (可変)                          7.54
27         13.651    2.63   1.48749    70.2       10.22
28        -42.986  (可変)                         10.09
29          ∞       0.38   1.51633    64.1       12.50
30          ∞       1.63                         12.50
31          ∞       0.63   1.51633    64.1       12.50
32          ∞       0.5                          12.50
像面        ∞   
【００９６】
非球面データ
第7面
K =-2.17063e-003  A 4=-4.27550e-005  A 6= 7.68348e-006  A 8=-4.89239e-007  A10= 1.51359e-008  
第17面
K = 6.62493e-002  A 4=-2.27638e-004  A 6= 3.94832e-007  A 8=-1.54196e-007  A10=-5.44903e-009  
第18面
K = 0.00000e+000  A 4=-4.38920e-005  A 6= 4.64653e-006  A 8=-4.11975e-007  
第21面
K = 0.00000e+000  A 4= 2.41988e-004  A 6= 9.08580e-006  A 8= 7.24863e-008  A10= 5.86327e-009  
各種データ
ズーム比     11.18 
広角     中間     望遠
焦点距離       5.17    13.78    57.82  
Fナンバー      3.41     4.89     5.77  
半画角（度）   33.09    15.70     3.83  
像高           3.37     3.88     3.88  
レンズ全長    69.17    72.61    84.78 
BF             8.87     9.32     5.98 
d 5            0.44     5.04    17.84  
d11            5.44     4.72     0.74  
d15           16.20     4.23     1.85  
d24            3.13    15.10    17.48  
d26            7.53     7.08    10.43  
d28            6.09     6.53     3.19  
【００９７】
(数値実施例４)
面データ
面番号       r        d      nd         νd       有効径
1         46.833    0.88   1.84666    23.9       23.91
2         19.904    4.38   1.48749    70.2       21.36
3       -374.792    0.06                         20.23
4         21.129    2.63   1.83481    42.7       17.89
5        128.748  (可変)                         17.44
6        346.613    0.88   1.85135    40.1       13.00
7*         6.613    3.38                          9.48
8        -14.185    0.50   1.88300    40.8        9.12
9         17.357    0.19                          9.16
10         14.353    2.00   1.95906    17.5        9.37
11        -72.939  (可変)                          9.29
12          ∞       9.00   1.83400    37.2        7.88
13          ∞     (可変)                          6.59
14*         9.136    2.13   1.55332    71.7        7.38
15*       -58.793    1.00                          7.38
16          ∞       1.25                          6.39(絞り)
17          8.992    0.63   1.90366    31.3        7.38
18          6.670    1.75                          7.38
19*        92.448    3.25   1.58313    59.4        7.38
20         -7.058    0.50   1.83400    37.2        7.38
21        -20.616    0.75                          7.38
22          ∞     (可変)                          5.62（フレアーカット絞り）
23         11.299    0.63   1.77250    49.6        9.95
24          8.390    2.63   1.48749    70.2        9.61
25         59.941  (可変)                          9.42
26          ∞       0.38   1.51633    64.1       12.50
27          ∞       1.63                         12.50
28          ∞       0.63   1.51633    64.1       12.50
29          ∞       0.5                          12.50
像面        ∞   
【００９８】
非球面データ
第7面
K = 2.37193e-001  A 4=-1.02322e-004  A 6=-1.87083e-006  A 8= 1.29457e-008  A10=-1.54018e-009  
第14面
K = 1.71627e-001  A 4=-1.86911e-004  A 6= 1.30969e-006  A 8=-3.87465e-007  A10= 2.76372e-008  
第15面
K = 0.00000e+000  A 4=-1.36039e-005  A 6= 2.90982e-006  A 8=-4.01768e-007  A10= 3.38589e-008  
第19面
K = 1.65060e+002  A 4= 5.45353e-005  A 6= 2.68368e-006  A 8=-1.59015e-007  A10= 1.74965e-008  
各種データ
ズーム比     14.45 
広角     中間     望遠
焦点距離       5.16    12.65    74.61  
Fナンバー      3.54     4.63     5.77  
半画角（度）   33.14    17.03     2.97  
像高           3.37     3.88     3.88  
レンズ全長    74.73    69.78    86.27 
BF             6.36    13.04     6.74 
d 5            0.51     4.88    16.89  
d11            5.19     2.55     0.73  
d13           19.83     7.81     1.04  
d22           10.82    16.16    29.23  
d25            3.58    10.25     3.95  
【００９９】
(数値実施例５)
面データ
面番号       r        d      nd         νd       有効径
1         37.309    0.88   1.84666    23.9       23.65
2         20.147    4.38   1.48749    70.2       21.36
3        380.756    0.06                         19.77
4         21.774    2.63   1.77250    49.6       17.79
5        113.710  (可変)                         17.28
6        127.756    0.88   1.85135    40.1       12.54
7*         5.971    3.25                          8.94
8        -14.727    0.50   1.88300    40.8        8.66
9         18.733    0.19                          8.70
10         13.172    1.88   1.95906    17.5        8.93
11       -127.366  (可変)                          8.81
12          ∞       8.13   1.83400    37.2        7.14
13          ∞     (可変)                          6.18
14          ∞       0.13                          6.69(絞り)
15*         8.210    2.38   1.76802    49.2        7.38
16*       155.976    0.19                          7.38
17         10.276    0.63   1.90366    31.3        7.38
18          6.106    1.75                          7.38
19*      -210.706    3.25   1.58313    59.4        7.38
20         -4.782    0.50   1.83400    37.2        7.38
21        -10.679    0.75                          7.38
22          ∞     (可変)                          6.06（フレアーカット絞り）
23        -51.132    0.50   1.88300    40.8        7.72
24       -624.457  (可変)                          7.80
25         16.874    2.63   1.48749    70.2       10.27
26        -34.455  (可変)                         10.17
27          ∞       0.38   1.51633    64.1       12.50
28          ∞       1.63                         12.50
29          ∞       0.63   1.51633    64.1       12.50
30          ∞       0.5                          12.50
像面        ∞   
【０１００】
非球面データ
第7面
K = 7.52150e-002  A 4=-3.93686e-005  A 6= 8.95884e-006  A 8=-6.16794e-007  A10= 2.30798e-008  
第15面
K = 8.62579e-002  A 4=-2.06264e-004  A 6=-2.03365e-006  A 8=-2.51572e-007  A10= 1.20108e-010  
第16面
K = 0.00000e+000  A 4=-5.65666e-005  A 6= 1.02907e-006  A 8=-6.23153e-007  A10= 1.47642e-008  
第19面
K = 0.00000e+000  A 4= 2.26845e-004  A 6= 1.29837e-005  A 8=-6.94950e-007  A10= 4.57693e-008  
各種データ
ズーム比     13.19 
広角     中間     望遠
焦点距離       5.16    11.56    68.01  
Fナンバー      3.50     4.68     5.77  
半画角（度）   33.18    18.53     3.26  
像高           3.37     3.88     3.88  
レンズ全長    71.37    72.18    85.81 
BF             8.41     9.30     6.43 
d 5            0.52     3.74    17.80  
d11            5.57     4.04     0.74  
d13           17.86     7.16     2.05  
d22            3.13    13.83    18.94  
d24            8.86     7.97    10.84  
d26            5.63     6.51     3.64  
【０１０１】
(数値実施例６)
面データ
面番号       r        d      nd         νd       有効径
1         57.394    0.88   1.84666    23.9       23.61
2         21.123    4.38   1.48749    70.2       21.15
3       -254.232    0.06                         19.87
4         22.890    2.63   1.88300    40.8       17.44
5        139.584  (可変)                         16.80
6        306.573    0.81   1.85135    40.1       13.08
7*         6.295    3.63                          9.56
8        -11.818    0.50   1.88300    40.8        9.33
9         99.890    0.19                          9.59
10         21.587    1.88   1.95906    17.5        9.85
11        -34.889  (可変)                          9.83
12          ∞       8.75   1.83400    37.2        7.88
13          ∞       1.25                          7.05
14        -26.724    0.50   1.48749    70.2        7.75
15       -108.223  (可変)                          7.75
16*         9.418    2.38   1.55332    71.7        8.25
17*       -50.324    1.00                          8.25
18          ∞       1.25                          7.39(絞り)
19          9.604    0.63   1.90366    31.3        8.25
20          7.027    1.88                          8.25
21*        45.352    3.63   1.58313    59.4        8.25
22         -5.602    0.50   1.83400    37.2        8.25
23        -12.961    0.75                          8.25
24          ∞     (可変)                          6.19（フレアーカット絞り）
25        -66.081    0.50   1.77250    49.6        6.38
26         34.275  (可変)                          6.41
27         17.206    2.63   1.48749    70.2       10.45
28        -27.674  (可変)                         10.38
29          ∞       0.38   1.51633    64.1       12.50
30          ∞       1.63                         12.50
31          ∞       0.63   1.51633    64.1       12.50
32          ∞       0.5                          12.50
像面        ∞   
【０１０２】
非球面データ
第7面
K = 8.19995e-002  A 4=-7.55869e-005  A 6=-2.98397e-006  A 8= 1.29543e-007  A10=-3.02166e-009  
第16面
K = 2.30102e-001  A 4=-1.98424e-004  A 6= 4.09245e-006  A 8=-2.01826e-007  A10=-3.68361e-009  
第17面
K = 0.00000e+000  A 4=-8.49659e-008  A 6= 7.51034e-006  A 8=-3.97670e-007  
第21面
K = 3.48251e+001  A 4= 1.01068e-004  A 6= 5.65942e-006  A 8=-1.69562e-007  A10= 5.90897e-009  
各種データ
ズーム比     15.11 
広角     中間     望遠
焦点距離       5.16    17.70    77.90  
Fナンバー      3.21     4.31     5.77  
半画角（度）   33.18    12.35     2.85  
像高           3.37     3.88     3.88  
レンズ全長    74.73    75.26    88.86 
BF             7.66    11.46     6.62 
d 5            0.53     9.29    18.24  
d11            5.36     0.93     0.74  
d15           18.00     6.54     0.42  
d24            3.13     9.63    12.59  
d26            7.14     8.31    16.30  
d28            4.88     8.67     3.83
【０１０３】
【表１】
0005773793.tif 000002
【符号の説明】
【０１０４】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
ＬＲ  後続レンズ群    ＰＲ  光路折り曲げ用の光学素子
【図１】
0005773793.tif 000003
【図２】
0005773793.tif 000004
【図３】
0005773793.tif 000005
【図４】
0005773793.tif 000006
【図５】
0005773793.tif 000007
【図６】
0005773793.tif 000008
【図７】
0005773793.tif 000009
【図８】
0005773793.tif 000010
【図９】
0005773793.tif 000011
【図１０】
0005773793.tif 000012
【図１１】
0005773793.tif 000013
【図１２】
0005773793.tif 000014
【図１３】
0005773793.tif 000015
【図１４】
0005773793.tif 000016